(57)【要約】  本発明は、除毛手段（２）と、流体分配手段（３）と、流体リザーバ（１０）と、ハンドル（４）とを有する除毛及び流体適用装置（１）に関する。この装置は、除毛手段及び流体分配手段（３）を備える近位端及び遠位端を有し、好ましくは、ハンドル（４）が、除毛手段（２）及び流体分配手段（３）の互いに対して所定の位置を提供する。
2018518325.tif 000002
【特許請求の範囲】
【請求項１】
除毛手段（２）と、流体分配手段（３）と、ハンドルと、その内部に収容された流体リザーバ（１０）とを有する除去及び流体適用装置（１）であって、前記流体分配手段（３）が、前記ハンドル（４）の遠位端（６）に取り付けられ、前記除毛手段（２）が、前記ハンドル（４）の近位端（５）に取り付けられている、除去及び流体適用装置（１）。
【請求項２】
前記ハンドル（４）が、前記除毛手段（２）及び前記流体分配手段（３）の互いに対して所定の位置を提供する、請求項１に記載の除毛及び流体適用装置（１）。
【請求項３】
前記装置が、正面（７）及び背面（８）を備え、前記正面（７）が前記除毛手段（２）を備える、請求項１に記載の除毛及び流体適用装置（１）。
【請求項４】
前記背面が、前記流体分配手段（３）を備える、請求項３に記載の除毛及び流体適用装置（１）。
【請求項５】
前記ハンドル（４）が、実質的に剛性であり、好ましくは実質的に直線状である、請求項１に記載の除毛及び流体適用装置（１）。
【請求項６】
前記リザーバ（１０）が密封され、開口手段（１１）を更に備える、請求項１〜５のいずれか一項に記載の除毛及び流体適用装置。
【請求項７】
前記リザーバが、タブ（２４）、スレッド、又はストリング（２５）を含む開口手段（１１）を更に備える、請求項６に記載の除毛及び流体適用装置。
【請求項８】
前記除毛手段（２）が、少なくとも１つの刃、好ましくは刃及びハウジングを備える、請求項１〜７のいずれか一項に記載の除毛及び流体適用装置（１）。
【請求項９】
前記流体分配手段（３）が、発泡体、織布、不織布、有孔又は穿孔フィルム、プラスチック、フェルト、及びこれらの組み合わせから選択される、請求項１〜８のいずれか一項に記載の除毛及び流体適用装置（１）。
【請求項１０】
前記分配手段（３）が、連続気泡発泡体又は独立気泡発泡体である、請求項１〜９のいずれか一項に記載の除毛及び流体適用装置（１）。
【請求項１１】
前記ハンドル（４）が、前記流体リザーバ（１０）を少なくとも部分的に、好ましくは実質的に取り囲む、請求項１〜１０のいずれか一項に記載の除毛及び流体適用装置（１）。
【請求項１２】
前記リザーバ（１０）が、前記流体分配手段（３）と流体連通している、請求項１〜１１のいずれか一項に記載の除毛及び流体適用装置（１）。
【請求項１３】
前記流体分配手段（３）が、前記リザーバ（１０）と流体連通している少なくとも１つの孔を有する、請求項１〜１２のいずれか一項に記載の除毛及び流体適用装置。
【請求項１４】
前記リザーバ（１０）が、少なくとも８０重量％の水と、０．１重量％〜５重量％の増粘剤とを含む組成物を含む、請求項１〜１３のいずれか一項に記載の除毛及び流体適用装置（１）。
【請求項１５】
好ましくは水源の非存在下で、皮膚表面を請求項１に記載の装置（１）の前記除毛手段（２）又は前記流体分配手段（３）に接触させるステップを含む、流体を適用し、皮膚を除毛する方法。
【発明の詳細な説明】
【技術分野】
【０００１】
本発明は、低コスト、かつ製造が容易であり、特に水源がない場合に、又は浴室環境外での使用に便利な、追加のシステム構成部品を必要とせずに、消費者が除毛プロセスを実施可能な使い捨て式流体分配除毛装置に関する。
【背景技術】
【０００２】
流体を分配することもできる再使用可能な除毛装置は、当技術分野において既知である。このような装置は、典型的には、１つ以上の流体分配オリフィスを備え、剃毛プロセスの間、そのオリフィスを介して、かみそりカートリッジから流体が分配される。流体は、ハンドル内に配置された交換可能なリザーバに収容され、プッシュボタンによって作動される。このような装置は、製造が複雑であり、多くの部品を必要とし、かみそりカートリッジ及び流体リザーバの両方の交換が可能であるように設計されている。例えば、米国特許出願公開第２０１３／０１４５６２６号、米国特許出願公開第２０１３／０１４５６２５号、米国特許出願公開第２０１３／０１４５６０１号、及び国際公開第２０１１／１３０３７２号を参照されたい。更に、このような装置は、典型的に大型で扱いにくいものであり、移動して「外出先で」使用することを意図するものではない。
【０００３】
かみそりカートリッジを交換できない使い捨て式除毛装置も、当技術分野において周知である。これらの装置は、典型的には、例えば、カートリッジとハンドルとの間の枢動軸を取り除くことによって、再使用可能な装置の複雑さがわずかに軽減したものとなり、これによって単純化され、製造コストが低減する。それにもかかわらず、これらの装置は、製造するには依然としてかなり複雑である。
【０００４】
このため、流体の分配も可能にし、これにより別個の流体容器を必要とせず、装置の複雑さを軽減し、かつその構成部品の数を減少させて、製造コストを削減する、使い捨て式除毛装置を提供することが依然として必要である。これは、移動中、又は「外出中」、及び／又は簡便な水の供給がない状態で、など、消費者の家庭の浴室設備から離れて行う除毛プロセスにとって特に望ましい。全身体領域、特に特定の領域に対して、かつ／又は手直し除毛適用に効果的に使用するのが容易である装置を提供する必要もある。
【０００５】
流体の分配も行う使い捨て式除毛装置を提供する試みも、当技術分野において記載されている。例えば、欧州特許第４２７８８９（Ａ）号は、かみそりハンドルに固定された分離可能なゲルパケットを有する使い捨て式かみそりについて記載しており、それによって、かみそりからパケットを取り外し、開封し、剃毛プロセスの前又は後に内容物を皮膚に適用することができる。この装置は、パケットを装置から取り外す必要があり、また、流体を別個に独立して適用する必要があるので、消費者にとって特に簡便ではない。ドイツ特許第１０２０１１１１７５９０号には、剃毛ゲル用の着脱可能な容器を含む使い捨て式かみそりについて記載している。剃毛ゲル容器をかみそりハンドルに置き、その端部をかみそりヘッドに置く。容器の穿孔に圧力を加えると、容器が開き、かみそりゲルが放出される。
【０００６】
米国特許出願公開第２００４／００１６１２６号には、手動で調節可能な除毛及び皮膚潤滑装置が記載されている。この装置は、除毛プロセス中に独立して又は同時に内部リザーバから潤滑剤を吐出するように操作することができるＵ字形本体を有する。しかし、この装置は、所望の使用構成を選択するために、特に、全剃毛プロセス中、潤滑剤を同時に分配し、かみそりカートリッジを制御するために、所望の構成を一貫して維持するために、かなり手際よく行う必要がある。したがって、消費者はその構成を連続的に確認する必要があり、これにより剃毛プロセスが中断し、より手が届きにくい身体領域を剃毛するときは剃毛できないため、特に不便である。更に、潤滑剤及び吸上装置は、使用前に密封されておらず、それによって不用意な漏出及び／又は汚染を生じやすい。
【０００７】
しかし、液体分配式かみそりが使用可能であるかにかかわらず、消費者の多くは、液体分配式かみそりを使用していても、剃毛プロセスの前に皮膚に皮膚準備処理を施すことを好む。液体分配かみそりは、典型的には、かみそり刃の下又は上に直接液体を分配するか、又はかみそり刃を介してかみそりカートリッジ内から液体を分配する。その結果、消費者は、シェーバヘッドにより分配アプリケータを視覚的に確認できないことから、剃毛される皮膚表面上に液体が分配されたことを視覚的に確認することができない。更に、消費者は、視界が制限されているため、刃を特定の領域に容易に又は正確に適用することもできない。剃毛前調製物を使用することにより、消費者に安心を与え、剃毛前の皮膚を皮膚調製物で完全かつ綿密に覆っていることの確認が行われる。更に、剃毛前に、皮膚を水和し、潤滑化して、剃毛経験を向上させる。同様に、剃毛後の皮膚から組成物が除去されることにより、剃毛された領域が消費者に分かる。したがって、他方の性能に影響を及ぼすことなく、それぞれの性能を容易にするために除毛及び流体アプリケータのそれぞれのサイズ及び配向を選択し得るように、除毛及び流体適用プロセスを互いに独立して行うことができる装置を提供する必要がある。
【０００８】
米国特許第１９８５１３２号、同第３４９２７２３号、同第５２７４９２２号、同第５８１９４１３号、及び国際公開第２０１０／１００６３４号は、ハンドル及び／又はカートリッジが厚紙で構成され得る使い捨て式かみそりについて記載している。このような装置は、安価な使い捨て式かみそりを提供する手段として、当技術分野において長い間提案されてきた。しかし、それらは、剃毛中、水と接触するという理由から、構造的完全性を保持するという欠点を有しており、したがって、再利用可能であり、かつ使い捨て可能な商業的に入手可能な製品は、典型的には、プラスチックハンドルを備える。液体剃毛組成物を貯蔵し送達する液体分配かみそりの開発は、本業界において、プラスチックハンドルの使用が更に強化されたのみである。
【０００９】
しかし、特に使い捨て式消費財におけるプラスチック材料若しくは成分の使用を減らすこと、又は、そのために、持続可能な若しくは再生可能な資源を利用することが依然として望まれている。しかし、生分解性プラスチック又はリサイクルプラスチックは、材料の品質の変動のために所望のレベルの性能又は機能性を一部提供しないことが分かっており、所望の人間工学的形状を形成するために高価な工具又は成形機器が依然として必要である。
【００１０】
確実に快適な剃毛を行い、かみそりを顔面の輪郭に沿って動かすことができるように、かみそりは、例えば、典型的には、かみそりカートリッジをハンドルに対して移動可能な枢動点を備える。枢動点を中心とするこうした移動は、確実に装置を制御するために単一の方向に制限される。その一方で、使い捨て式かみそりは、典型的には、このような枢動軸を備えず、かつカートリッジは、ハンドルに対して固定された位置にあって、複雑さを軽減し、コストを低減する。同様に、かみそりは、使用者がもみあげ及び口髭をきちんと仕上げることができるように、鼻の周りなどの到達しにくい領域を容易に剃毛するために、かつ、短時間の手直し剃毛を容易にするように、多くの場合、追加のトリマ用刃を備える。しかし、ここでも、使い捨て式かみそりは、典型的には、追加のトリマ用刃を備えていないために、これらの望ましい剃毛作業は容易に達成できない。
【先行技術文献】
【特許文献】
【００１１】
【特許文献１】米国特許出願公開第２０１３／０１４５６２６号
【特許文献２】米国特許出願公開第２０１３／０１４５６２５号
【特許文献３】米国特許出願公開第２０１３／０１４５６０１号
【特許文献４】国際公開第２０１１／１３０３７２号
【特許文献５】欧州特許第４２７８８９（Ａ）号
【特許文献６】ドイツ特許第１０２０１１１１７５９０号
【特許文献７】米国特許出願公開第２００４／００１６１２６号
【特許文献８】米国特許第１９８５１３２号
【特許文献９】米国特許第３４９２７２３号
【特許文献１０】米国特許第５２７４９２２号
【特許文献１１】米国特許第５８１９４１３号
【特許文献１２】国際公開第２０１０／１００６３４号
【発明の概要】
【発明が解決しようとする課題】
【００１２】
したがって、使い易く、手際のよさをあまり必要とせず、かつ全身体部位に使用可能であり、かつ家庭から離れての使用及び「外出先」での使用に好適な簡便な方法で、前剃毛又は後剃毛組成物の適用が可能になる、費用効果の高い、使い捨て式流体分配除毛装置を提供する必要が依然としてある。また、高価な工具又は成形機器を必要としない装置を提供する必要もある。また、皮膚表面の輪郭に容易に追従し、かつ、もみあげなどをきれいに仕上げることができ、顔及び他の身体領域で手が届きにくい領域での効果的な剃毛を可能にする装置を提供する必要もある。
【００１３】
驚くべきことに、安価で製造が容易であり、高価なツーリング装置を必要としないが、所望のレベルの消費者製品の機能性を送達する使い捨て式除毛及び流体分配装置が、装置の近位端及び遠位端にそれぞれ配置された除毛手段及び流体分配手段を有する装置によって提供され得ることが見出された。
【課題を解決するための手段】
【００１４】
本発明は、除毛手段（２）と、流体分配手段（３）と、内部に収容された流体リザーバを有するハンドル（１０）と、を有し、流体分配手段（３）がハンドルの遠位端に取り付けられ、除毛手段（２）がハンドルの近位端に取り付けられる、除毛及び流体適用装置（１）に関する。
【００１５】
更なる態様では、本発明は、皮膚表面を、好ましくは水源の非存在下で、本発明の装置（１）の除毛手段及び／又は流体分配手段と接触させるステップを含む、流体を分配し、かつ／又は除毛する方法に関する。
【図面の簡単な説明】
【００１６】
【図１ａ】本発明の第１の実施形態の斜視正面図及び背面図を示す。
【図１ｂ】本発明の第１の実施形態の斜視正面図及び背面図を示す。
【図２ａ】本発明の第２の実施形態の断面図を示す。
【図２ｂ】本発明の第３の実施形態の断面図を示す。
【図３ａ】本発明の第４の実施形態の断面図及び分解図を示す。
【図３ｂ】本発明の第４の実施形態の断面図及び分解図を示す。
【図４ａ】本発明の開口手段の第５の実施形態の断面図を示す。
【図４ｂ】本発明の開口手段の第５の実施形態の断面図を示す。
【図４ｃ】本発明の開口手段の第５の実施形態の断面図を示す。
【図５ａ】本発明の開口手段の第６の実施形態の断面図を示す。
【図５ｂ】本発明の開口手段の第６の実施形態の断面図を示す。
【図６ａ】本発明の開口手段の第７の実施形態の断面図を示す。
【図６ｂ】本発明の開口手段の第７の実施形態の断面図を示す。
【図７ａ】本発明の第８の実施形態の断面図及び分解断面図を示す。
【図７ｂ】本発明の第８の実施形態の断面図及び分解断面図を示す。
【図７ｃ】本発明の第８の実施形態の断面図及び分解断面図を示す。
【図８ａ】本発明の第９の実施形態の断面図及び分解断面図を示す。
【図８ｂ】本発明の第９の実施形態の断面図及び分解断面図を示す。
【図８ｃ】本発明の第９の実施形態の断面図及び分解断面図を示す。
【発明を実施するための形態】
【００１７】
本発明によれば、除毛及び流体適用装置（１）は、除毛手段（２）と、流体分配手段（３）と、ハンドル（１０）と、その内部に収容された流体リザーバとを備え、流体分配手段（３）がハンドルの遠位端に取り付けられ、除毛手段（２）がハンドルの近位端に取り付けられている。
【００１８】
除毛手段
本明細書では、単一又は複数、すなわち少なくとも２つの刃、又は３つの刃、及び任意で関連するかみそりハウジング又はカートリッジ、このためのホイル、スクレーパー又はメッシュ、など、当技術分野で既知の任意の除毛手段（２）を使用することができる。好ましくは、除毛手段は、ガードと、キャップとを備え、キャップとガードの中間に配置された少なくとも１つの刃を有する。より好ましくは、除毛手段（２）は、ハウジングと、ハウジング上に配置されたキャップ及びガードと、キャップとガードとの間に位置付けられた少なくとも１つの刃と、を有するかみそりカートリッジを備える。単刃カートリッジを有するこのタイプの実施形態は、毛、皮膚及び剃毛組成物などの剃毛片がカートリッジを通って容易に通過し、これによって目詰まりを防止することを可能にするため、特に有益である。
【００１９】
流体分配手段
好適な流体分配手段（３）は、使用者の皮膚に対してこの手段の適用時に流体を分配することができる任意の材料を含む。分配速度は、使用者の皮膚に対して分配手段に加えられる圧力量を調節することによって消費者が容易に制御できる。
【００２０】
好適な材料としては、連続及び独立型気泡発泡体、織布、不織布、フェルトなどのプレス多孔質繊維、一枚若しくは複数枚の穿孔フィルム又は有孔フィルム、硬質又は半硬質成形プラスチック、及びこれらの組み合わせなどの発泡体が挙げられる。流体分配手段は、単一材料層又は複数の材料層を含んでもよく、複数の材料層は同じ材料であっても異なっていてもよい。このような層状の実施形態は、互いの上に垂直に積層されてもよく、これにより、各層は、皮膚接触面に面する表面に向かって延在するか、又は各層が皮膚接触面に直接面して互いに隣接して積層される。
【００２１】
好ましくは、除毛手段（３）は発泡体によって提供され、より好ましくは連続気泡発泡体又はフェルトである。好適な材料としては、天然スポンジ、セルロース、ポリエチレン、ポリウレタン、シリコーン、及び当技術分野において既知であり、市販されている他の合成発泡体又はフェルト材料が挙げられる。発泡体材料は、皮膚上に分配された流体を保持し、分配し、かつ広げる機能を果たすことができ、これにより、消費者が使用者の皮膚に流体をより制御して適用することができることから、特に有利である。
【００２２】
１つの好ましい実施形態では、流体分配手段は、除毛プロセス後に皮膚に残っている毛及び／又は流体の少なくとも一部を収集するように作用するように、除毛後細片収集器として機能することも可能なように選択される。このような実施形態に好適な材料としては、発泡体が挙げられ、好ましくは連続気泡セルロース発泡体が好ましい。あるいは材料の組み合わせを利用して、流体分配及び細片収集の両方を行ってもよい。好適な組み合わせとしては、例えば、連続及び独立型気泡発泡体、又は発泡体及び不織布シート材料複合体が挙げられる。
【００２３】
流体分配手段は、好ましくは約０．８ｃｍ２〜約３５ｃｍ２、好ましくは約５ｃｍ２〜約１５ｃｍ２、より好ましくは約８ｃｍ２〜約１０ｃｍ２の皮膚接触表面積を有する。
【００２４】
流体分配手段には、以下に説明するように、リザーバと流体連通している少なくとも１つの孔又は開口又はチャネル（９）が設けられていてもよい。
【００２５】
ハンドル
除毛及び流体適用装置（１）は、ハンドル（４）を更に備える。ハンドルにより、使用者は、除毛手段及び流体分配手段を互いに対して所定の位置にしっかりと配置し、位置付けるように、装置を保持し、かつ制御することが可能である。更に、ハンドルは流体リザーバ（１０）を収容する。ハンドル（４）は、近位端及び遠位端を有し、かつ主要な正面及び後面を有してもよい。除毛手段（２）は、ハンドルの近位端に位置付けられ、流体適用手段（３）は、ハンドル（４）の遠位端に位置付けられる。一実施形態では、除毛手段（２）及び流体分配手段（３）は、それぞれ、正面及び背面（７、８）に配置されてもよく、又は両方が正面若しくは背面に位置付けられてもよい。別の実施形態では、流体分配手段は、ハンドル（４）の遠位端の終端に配置され、除毛手段（２）に対して実質的に垂直に位置付けられてもよい。別の実施形態では、除毛手段（２）及び流体分配手段（３）のそれぞれは、それぞれの皮膚接触面を有し、除毛手段の皮膚接触面は、流体分配手段の皮膚接触面に実質的に対向する方向に位置付けられる。一実施形態では、除毛手段（２）は、ハンドル（４）及び／又は装置（１）の垂直面に対して任意の角度で位置付けられてもよい。近位端及び遠位端のそれぞれでの除毛手段（２）及び流体分配手段（３）の位置により、除毛手段及び流体分配手段を単一の装置に収容するが、いかなる干渉もなく、互いに独立して使用することが可能になる。これにより、消費者は、除毛装置の使用前又は使用後に所望の身体表面に流体組成物を効果的に適用することができる。これは、スポット用途、又はもみあげ及び髭を剃る場合、特に有利である。除毛手段（２）及び流体分配手段（３）は、それらが実質的に水平面の周りに整列するように位置付けられてもよい。あるいは、除毛手段及び流体分配手段は、ずれていてもよい。ハンドル（４）は、典型的には、除毛手段（２）を含む近位端から流体分配手段（３）を含む遠位端に向かって延在する。これは、消費者が容易に保持し、制御できるハンドルの一部分を提供するためである。
【００２６】
流体分配手段（３）及び除毛手段（２）は、好ましくは、装置（１）のハンドル（４）のそれぞれの遠位端及び近位端に独立して取り付けられる。好適な手段としては、接着剤、超音波溶接、両面テープ、リベット、クリップ、又は他の機械的手段、及びこれらの組み合わせが挙げられる。流体分配手段と除毛手段との取り付けは、その交換を可能にするために、永久的であっても、取り外し可能であってもよい。
【００２７】
一実施形態では、流体分配手段（３）及び／又は除毛手段（２）は、独立して、それぞれ、近位端及び遠位端の幅の少なくとも一部分、好ましくは少なくとも５０％、より好ましくは少なくとも７５％、更により好ましくは少なくとも９０％に沿って延在する。別の実施形態では、流体分配手段（３）及び／又は除毛手段（２）は、それぞれ、近位端及び遠位端の幅の少なくとも９５％、好ましくは少なくとも９９％に沿って独立して延在する。
【００２８】
ハンドル（４）は、好ましくは、消費者が本装置を保持し、皮膚に流体を適用し、分配するか、又は除毛装置を皮膚に適用できるようにするために、本装置に十分な剛性をもたらす。ハンドルは、好ましくは、ある程度の柔軟性を提供し、加圧時に、消費者によるハンドルに収容されたリザーバからの流体の吐出を容易にすることができる。ハンドルは典型的には弾力性があり、圧力の除去時にその構成に戻る。
【００２９】
除毛及び流体適用手段はいずれも、関連する皮膚接触面を有する。性能を最大限にするためには、使用時に、除毛及び液体適用手段が、それぞれの皮膚接触面との最大の接触を達成することが望ましい。これには、除毛手段及び流体適用手段が、一般に、例えば脚、胸、及び顔など、これらの手段が使用される皮膚表面の輪郭に追従する必要がある。従来の再使用可能な剃毛装置では、これは、剃毛ヘッド又はカートリッジを、ヒンジ又は軸受によって画定された軸の周りを枢動するヒンジ又は軸受を使用して使用者が保持する装置の本体又はハンドルに連結することによって達成される。このような装置ではコスト及び複雑性の増大が有効であり、一般に、使い捨て装置にはあまり適していない。
【００３０】
理論に束縛されるものではないが、本明細書に記載の使い捨て式除毛及び流体適用装置は、好ましくは、使用中、その静止位置（すなわち、本装置が水平面上に静止しているときなど、本装置にいかなる外力も加わることがない位置）に対してハンドル自体を介して、装置の撓ませ動作を可能にして皮膚表面の輪郭に追従すると考えられている。装置の撓ませ動作は、好ましくは、使用者が保持する近位端と遠位端との間のハンドルの全長に沿って、ハンドル及び／又は装置の近位端又は遠位端の一部分に生じ得る。従来の装置とは対照的に、本明細書に記載の装置のハンドルは、除毛及び流体適用装置が保持されている配向、及び２つの手段のどちらが消費者によって使用されているかに応じて、その静止位置から２つの対向する方向に撓ませ得る。この撓みは、使用者が、装置を保持し、装置を皮膚表面に押し付けて流体を適用するか、又は除毛するときに、装置全体に力を加えることに応答して生じ、その結果、装置が使用中の除毛撓ませ位置、及び／又は使用中の流体分配使用中撓ませ位置をとることとなる。使用者によって加えられる典型的な平均中央荷重は、約１２０ｇ〜約２００ｇである。
【００３１】
使用中の撓ませ位置は、後述するように、ハンドルの材料及び／又はハンドルの構成を選択することにより、かつ／又はハンドル上に折れ線を提供することによってもたらせ得るが、好ましくは、除毛手段及び流体分配手段と支持体とを連結する従来の枢動軸又はヒンジではないものとする。
【００３２】
一実施形態では、除毛及び流体分配装置は、垂直対称面を有する。装置及び／又はハンドルの静止時及び使用中の撓ませ位置は、垂直対称面に対して決定されてもよい。
【００３３】
本発明の別の実施形態では、ハンドルの近位端には、除毛手段の枢動運動を可能にする枢動軸を備えたシャシー（１３）が設けられていてもよい。別の実施形態では、図２及び図３に示すように、除毛手段は、除毛手段にある程度の枢動運動を提供するために、任意の角度で傾斜しているか、又はリビングヒンジ（１９）を備えたハンドルの近位端に取り付けてもよい。
【００３４】
ハンドルは、ポリスチレン、ポリプロピレンなどの硬質及び半硬質のプラスチックなどのポリマーなど、天然及び合成由来の材料、並びにこれらの組み合わせ、厚紙、板紙、カートン用板紙及びキャリアボードなどのセルロース、ナイロン、レーヨン、綿、及びこれらの組み合わせ含む任意の好適な材料から形成されてもよく、本ハンドルは、押出成形、ブロー成形、射出成形、３Ｄ印刷されてもよい。ハンドルは、足場、ケージ、メッシュ、格子若しくは骨格構成の形態、又は管状形態、又は内部に任意に開口を有するこれらの組み合わせであってもよい。一実施形態では、ハンドルは実質的に剛性である。これは、手が届きにくい領域での使用、又は例えば、もみあげ及び髭などをきれいに仕上げるために有利であり得る。
【００３５】
本発明によれば、ハンドル（４）は、カートン用板紙、好ましくはキャリアボードから形成してもよい。ハンドルは、単一若しくは複数の板紙であってもよく、又は足場、ケージ、メッシュ、格子若しくは骨格構成の形態、又は内部に任意に開口を有するこれらの組み合わせであってもよい。ハンドルは、任意の好適な厚紙、キャリアボード、カートン用板紙、板紙又は液体包装板紙から形成されてもよい。こうした用語は、本明細書において同義として用いる。このような板紙は、典型的には、再生繊維又は古紙を含む木材又は植物ベースのパルプ源などのセルロース繊維から製造される。カートン用板紙は、単層又は多層であってもよい。カートン用板紙は、粘土、炭酸カルシウム、及び二酸化チタンなどの顔料コーティングを含有してもよく、又は接着剤及び／若しくはスチレンブタジエンなどの結合剤を含んでもよい。ハンドルは、好ましくは、特に水の存在下で消費者の取り扱いを改善するため、並びにハンドルの触感又は把持を向上させるため、並びにより容易に印刷できるようにするために、ワックス若しくはポリマー（複数可）などの好適な撥水性材料で少なくとも１つの主要正面及び／若しくは後面で表面処理されてもよい。
【００３６】
材料は、波状である少なくとも一部分を有してもよい。一実施形態では、カートン用板紙は、湿潤強度を更に改善するために、積層されてもよい。ハンドルは、単一片の材料から、又は接着剤などの既知の手段を用いて一緒に接合された２片以上の材料から形成することができる。
【００３７】
理論に束縛されるものではないが、カートン用板紙をハンドルに使用することは多くの利点をもたらす。カートン用板紙は、高価なツーリングを必要とせずに製造プロセスに容易に組み込むことができ、かつ所望の形状に容易に切断される。更に、以下で論じるように、所望の折り線又は刻み線も、カートン用板紙で容易に作製される。カートン用板紙は、頑丈だが軽量なハンドルを提供するために、所望の厚さと強度の比率、及び密度を更に提供する。したがって、カートン用板紙ハンドルは、消費者の使用経験を改善するために所望の程度の柔軟性を装置に提供し、かつ消費者が以下に例示されるような除毛又は流体適用プロセスに関連する所望の力を及ぼすことができるように十分な剛性を維持することができる。本明細書で使用するカートン用板紙は、少なくとも約２００ｇ／ｍ２、好ましくは少なくとも約２２５ｇ／ｍ２、より好ましくは少なくとも約２５０ｇ／ｍ２の坪量を有し得る。カートン用板紙は、約０．２５ｍｍ、好ましくは約０．３０ｍｍ、より好ましくは約０．３５ｍｍ、好ましくは１．５ｍｍ未満の厚さを有し得る。
【００３８】
ハンドルは、それが消費者によって保持されるのに適していれば、任意の形状又は構成をとることができ、除毛手段及び流体分配の位置を固定することができる。好適な構成としては、実質的にＵ字形状、Ｖ字形状、ダイヤモンド形状、実質的に平坦なＳ字形状、管状、湾曲形状、及びこれらの組み合わせが挙げられる。形状は、好ましくは人間工学的であり、消費者による取り扱いを容易にするべきである。このような構成は、任意に、内部にリビングヒンジ（１９）を組み込んだ、射出成形又はブロー成形などの既知の製造技術を使用することによって提供され得る。
【００３９】
ハンドルの少なくとも一部分は、流体リザーバ（１０）内に設けられるか、又はリザーバと一体であってもよい。あるいは、ハンドルはリザーバの外部に設けられてもよい。一実施形態では、ハンドルはリザーバの外側にあり、好ましくは主要な正面及び後面のいずれかにおいて、部分的に、リザーバを実質的に取り囲む。このような実施形態は、流体リザーバが偶発的に破損されないように保護し、消費者がリザーバに圧力をかけて、ハンドルを介してその内部に収容された流体を吐出する。
【００４０】
一実施形態では、ハンドルは、典型的には、近位端から遠位端まで長手方向に延在して位置付けられた、少なくとも１つ、好ましくは少なくとも２つの所定の折り線（変形線）及び／又は刻み線を備えてもよい。折り線は、好ましくは、平坦なハンドルが３Ｄ形状を形成し、消費者が装置を容易に保持できるように流体リザーバを収容できるように形成される。あるいは、折り線（複数可）は、予め形成された３Ｄハンドルに更なる構造を提供すること、かつ／若しくは輪郭を描くこと、又は除毛手段を流体分配手段から分離することができる。
【００４１】
別の実施形態では、ハンドルには、複雑な枢動軸ユニットを必要とすることなく、好ましくはハンドルと除毛装置及び／又は流体分配手段との間である程度の枢動運動を提供するために所定の折り線を設けてもよい。別の実施形態では、ハンドルはリザーバを取り囲み、消費者はリザーバ内の流体の量を視覚的に観察できる。
【００４２】
本発明の一実施形態によれば、ハンドルの遠位端は、ハンドルの正面及び／又は後面に対して実質的に直角である皮膚接触面を有する。流体分配手段は、図に示すように、ハンドルの遠位端の皮膚接触面から延在してもよい。
【００４３】
あるいは、ハンドルの遠位端の皮膚接触面は、ハンドルの正面又は後面の一部分を形成してもよい。同様に、ハンドルの近位端は、ハンドルの正面及び／若しくは後面に実質的に垂直であり得る皮膚接触面、又は近位端の皮膚接触面がハンドルの正面若しくは後面の一部分を形成し得る皮膚接触面を有する。
【００４４】
リザーバ
この装置は、少なくとも１つの密封流体リザーバ（１０）、好ましくは可撓性リザーバを更に備え、より好ましくはハンドル（４）内に収容されている。リザーバ（１０）は、ハンドル（４）の遠位端から近位端に向かって延在し得、流体、ペースト、又はゲルを収容するのに好適である。本発明のリザーバ（１０）は、流体を収容するのに任意の好適なリザーバであってもよい。好ましくは、リザーバは、使用者が圧力を加えたときに、リザーバからの流体の吐出を容易にする流体を収容するための可撓性リザーバである。
【００４５】
リザーバは、典型的には、主要な正面及び背面、並びに少なくとも１つの側縁を有し、好ましくは、リザーバは、２つの側縁部及び頂部及び下部縁部を有する。縁部は、リザーバ（１０）の周囲を画定してもよい。縁部は好ましくは直線状であるが、例えば各角にある程度の湾曲を呈してもよい。流体リザーバは、流体を収容する本体部分を有する。少なくとも１つの密封された縁部は、好ましくはリザーバ（１０）の上縁部に配置される。
【００４６】
流体リザーバは、流体、すなわち液体不透過性材料又は複合材料を収容するのに好適な任意の材料又は材料の組み合わせから提供されてもよい。一実施形態では、リザーバは、プラスチックフィルム、及び／又は例えば、ＰＥＴ／ＶＭＰＥ、ＰＥＴ／Ｆｏｉｌ／ＰＥ（好ましくは、例えばアルミニウムなどの金属箔）、ＰＥＴ／ＬＬＤＰＥ、ＰＥＴ／ＰＥ−ＥＶＯＨ−ＰＥ、若しくはＳＵＲＬＹＮ（商標）などの積層プラスチックフィルム、若しくは複合材料などのポリマーフィルムから、又は好ましくは熱密封技術によって、好ましくは密封可能な他の商業的に入手可能な材料、から形成される。ラミネートフィルムは、熱、圧力及び／又は接着剤などの当技術分野において既知の任意の方法によって形成されてもよい。本材料は、リザーバの容積、その内部に収容される流体の密度及び容量、並びに特定の用途に必要な強度及び柔軟性に応じて選択することができる。材料は、透明であっても不透明であってもよい。不透明の場合、流体の分解を防ぐために特定の用途を有してもよい。リザーバ、若しくは少なくともこれらの一部分の外面（主要正面、若しくは後面、若しくはこれらの一部分など）は、追加の材料でコーティングされて、例えば織物、不織布、並びに／又はシリコーン及びゴムなどのポリマーなど、消費者が好ましい触覚表面となり得る。更に、リザーバの外面には、リザーバの内容物、使用説明書、流体を保持し、分配するための推奨される取り扱い位置などの情報を消費者に伝達するための印が設けられてもよい。
【００４７】
リザーバ（１０）は、リザーバ（１０）を形成するために、上端縁部及び底縁部及び１つの側縁部において、折り畳まれ、密封、好ましくは熱密封された単一の材料シートから形成されてもよい。任意で、第２の密封を行って、外周部密封部を形成してもよい。別の実施形態では、リザーバは、リザーバを形成するために、頂部、底部、及び側縁部全体に沿って密封された少なくとも２枚の材料シートから形成されてもよい。リザーバの縁部は、好ましくは実質的に直線状であるが、部分的に湾曲していてもよい。リザーバは、その周縁部全体に沿って密封されてもよい。あるいは、リザーバは、押出技術又はブロー成形技術によって形成されてもよく、単一の密封縁部を備えてもよく、かついかなる追加の周辺縁部密封部を備えなくてもよい。リザーバは、いかなる形状であってもよいが、典型的には、実質的に長方形、正方形、楕円形、又は円形であり、好ましくは実質的に長方形である。
【００４８】
リザーバ（１０）は、異なる組成物を適用できるようにするため、かつ／又は同じ若しくは類似の流体組成物（複数可）の複数回の適用を可能にするために、１つ又は複数、すなわち２つ以上の別個の流体区画を備えてもよい。各別個の流体区画は、好ましくは、後述するように、リザーバに連結された開口手段又はタブを有する。複数の区画は、追加の密封部を設けることによって２つの区画に分割される１つの区画を有するリザーバを形成することによって提供されてもよい。
【００４９】
ある実施形態においては、流体リザーバは、ハンドル（４）の内面又は外面のうちの少なくとも１つの一部分に取り付けられてもよい。接着剤、超音波接合、両面テープ、リベット、クリップ、又は他の機械的手段、及びこれらの組み合わせなど、リザーバを取り付けるための任意の好適な手段を使用してもよい。
【００５０】
一実施形態では、流体分配手段は、流体リザーバとしても機能し得る。これは、フェルトなど、流体分配手段のための材料を選択することによって達成され、これにより、必要とされる流体容量を提供し、かつ必要とするときにのみ流体を放出することができる。このような材料は、更に、流体リザーバと液体連通させてもよい。
【００５１】
別の実施形態では、ハンドルは、例えば図２ａ及び図２ｂに示すように別個の流体リザーバ構成部品を必要とせずに流体リザーバとして機能する中空空洞部が設けられてもよい。こうした実施形態では、流体を収容し、濡れた環境及び乾燥した環境の両方において皮膚全表面にわたって制御された方法で除毛手段及び／又は流体分配手段を使用するように消費者がリザーバを保持できるようにするために、中空ハンドル（１０）は、流体を収容するのに適した任意の材料又は材料の組み合わせ、すなわち液体不透過性材料又は複合材料からもたらされてもよく、可撓性、好ましくは弾性であり、単一構成部品としてもたらされる。これにより、ポンプ又はプッシュボタンアクチベータ、又は複雑な複数構成部品を必要とすることなく、制御された方法で装置を利用するために使用者がしっかりと保持するように十分な柔軟性を保持しながら、必要とされる十分な剛性との両方をハンドルにもたらすことができる。一実施形態では、ハンドルは、ＨＤＰＥ、ＭＤＰＥ、ＬＤＰＥ、ＰＰ、ＰＥＴ、ＰＳ、ＰＣ、ＰＶＣ、ＰＥ、若しくはこれらの混合物などのポリマー、又は好ましくはブロー成形可能な、他の市販されている材料から形成される。本材料は、ハンドルの内部容積、ハンドルに収容される流体の密度及び容量、並びに特定の用途に必要な強度及び柔軟性に応じて選択することができる。
【００５２】
一実施形態では、ハンドル又はリザーバの遠位端には、図７に示すように、フェルトニブまで貫通している孔又はチャネルを有するプラグインサート（plug insert）を設けてもよい。
【００５３】
容積
流体リザーバの容積は、最終使用及び意図された使用形態、すなわち、単回使用、若しくは複数回使用が意図されているかに応じて選択される。美容及び見だしなみの用途では、流体リザーバは、約１ｍｌ〜５００ｍｌ、好ましくは約１ｍｌ〜１００ｍｌ、より好ましくは１ｍｌ〜１５ｍｌ、又は１０ｍｌ〜２５ｍｌの容積を有してもよい。流体リザーバは、典型的には、開口時の不用意な漏れを防止するために、少なくとも約７５％、好ましくは少なくとも約８０％の容積まで充填される。
【００５４】
開口手段
流体リザーバには、リザーバを開口させて孔（１２）を設けるために開口手段（１１）を更に設けることができ、これによって、リザーバ（１０）と流体分配手段（３）との間に流体連通を形成する。任意の好適な開口手段が使用されてもよい。開口手段は、単回使用の開口手段であってもよく、又はリザーバを再使用できるように再密封可能であってもよい。好適な開口手段しては、プルタブ、プルストリング、フォイルループ、スナップシール、穴開け器、及び圧力破裂シール及びティアーストリップ（tear strip）が挙げられる。再密封可能な開口手段の例としては、ネジ蓋などの密封キャップ、接着性タブ、Ｖｅｌｃｒｏ（商標）などのフック・ループ式ファスナー、Ｚｉｐｌｏｃ（登録）などのプラスチックジップ、押圧シール、ストッパキャップ又はプラグ、スクイズ弁、ダックビル弁、プッシュ弁、及び一方向弁などの弁、並びに、例えば飲料容器に見られ、当業者に既知の他のタイプの市販の密封方法が挙げられる。図４、図５、及び図６は、プルタブ、ストッパキャップ、及びキャップの実施形態を示す。
【００５５】
一実施形態では、リザーバには、２つの表面を有する少なくとも１つの密封縁部（１５）が設けられ、開口手段（１１）が２つの表面の間に取り外し可能に取り付けられ、そこから外側に延在する。使用者が開口手段（１１）を取り外すと、密封縁部（１５）に開口（１２）が形成されて、使用者はリザーバ（１０）に収容された流体を分配することができる。
【００５６】
流体リザーバ（１０）は、リザーバの密封縁部又は孔を開くための開口手段タブ（１１）を更に備えてもよい。開口手段タブ（１１）は、典型的にはその遠位端で、又は存在する場合にはタグによって、消費者が容易に把持し、開口プロセスを開始することができる。典型的には、消費者は、一般的にリザーバから離れる方向に開口手段タブを引っ張り、これによって密封された縁部（１５）又は孔の一部分を破り、リザーバから開口手段タブを取り外すか又は部分的に取り外すときに開口を形成する。リザーバに収容された流体は、その後、使用者によって分配され得る。
【００５７】
したがって、開口手段（１１）は、流体リザーバの少なくとも１つの密封縁部（１５）を提供するように密封され、そこから外側に延在する２つの接触面の間に取り外し可能に取り付けてもよい。開口手段又はタブは、近位端及び遠位端を有してもよく、近位端の少なくとも一部分が密封縁部（１５）の２つの接触面の間に取り外し可能に取り付けられ、遠位端がそこから外側に延在する。限定されるものではないが、接着剤、熱密封、及び圧密封などを含み、熱密封が好ましい、任意の手段を用いて、開口手段（１１）を密封縁部（１５）又は孔の２つの表面に取り外し可能に取り付けることができる。開口手段（１１）は、典型的には、以下に論ずるように密封縁部（１５）を形成するために密封前に２つの隣接する表面の間に位置付けられる。開口手段を収容する密封縁部は、好ましくは、リザーバの上部の密封縁部に設けられる。
【００５８】
開口手段は、上述のリザーバ材料に使用される同じ若しくは異なる材料又はフィルムなどの任意の好適な材料から提供されてもよい。好適な材料には、これらに限定されないが、金属、綿、ポリエステル、ナイロン、レーヨン、プラスチックなどのポリマー、ラミネート、コーティング、又はワックス加工され得る厚紙及び紙などのセルロース系材料が挙げられる。開口手段は、可撓性又は剛性であってもよい。
【００５９】
開口手段は、密封縁部の２つの表面の間に取り外し可能に取り付けられ、消費者の指によって容易に把持可能であるように、任意の好適なサイズ、形状、及び幾何学的形状を有してもよい。好ましくは、開口手段は実質的に平坦である。美容及び見だしなみの用途では、開口手段又はタブは、約０．１ｍｍ〜２．５ｃｍ、好ましくは約０．５ｍｍ〜１ｃｍの幅、及び約１ｃｍ〜１５ｃｍ、好ましくは約２ｃｍ〜約１０ｃｍの長さを有してもよい。しかし、代替的な用途では、２ｃｍ〜１０ｃｍの幅、及び１０ｃｍ〜５０ｃｍの長さの寸法を必要とすることがある。密封部から延在し、消費者がはっきりと目で確認できる開口手段の遠位端は、対称又は非対称、均一又は不均一な断面であってもよい。
【００６０】
開口手段（１１）は、少なくとも１つの密封縁部又は孔から延在し、そこから遠位の点で終端する単一のタブ、ストリング、又はスレッドを含んでもよい。あるいは、開口手段は、少なくとも１つの密封縁部又は孔から延在してループを形成するタブ、ストリング、又はスレッドであってもよい。このような実施形態では、ループの近位端が少なくとも１つの密封縁部に取り外し可能に取り付けられ得る。遠位端はまた、密封縁部の２つの表面の間に取り付けられてもよいか、又は密封縁部の外面、若しくはリザーバの正面若しくは背面に取り付けられてもよいか、又は開口手段の遠位端の一部分に取り付けられてもよい。一実施形態では、近位端及び遠位端の両方が、密封縁部の２つの表面の間に取り外し可能に取り付けられる。一実施形態では、タブには、開口手段の近位端の少なくとも一部分に少なくとも２つ、好ましくは少なくとも３つ、より好ましくは少なくとも４つの歯が設けられてもよい。歯は、密封縁部を形成する２つの表面の間の近位端の一部分に存在してもよく、またリザーバの内部空洞部内に延在し得る。歯は、存在する場合には、遠位端の一部分に延在してもよい。歯は、より均一な開口の形成を補助し得るか、又はリザーバから開口手段を取り外すときに、２つ以上の開口の形成が望ましい場合に補助し得る。このような複数の開口が、リザーバから表面への分配時に流体のより均一な分布を補助し得る。
【００６１】
開口手段又はタブが密封された開口から遠位の点で終端する実施形態の場合、タブは、これらに取り付けられたタグを更に備えてもよい。このタグは、好ましくは、消費者が把持し、続いて密封された縁部から開口手段を引っ張り出して、取り外すか、少なくとも部分的に分離するために、より大きな表面積を提供するため、開口手段又はタブの遠位端より実質的に広い。代替的実施形態では、タグは、消費者が開口手段を把持し引っ張ることができるように、開口手段の遠位端に取り付けられたループ形態であってもよい。タグは、任意の形状であってもよく、好ましくは、少なくとも０．１ｍｍ、好ましくは少なくとも２ｍｍ、より好ましくは少なくとも５ｍｍ、更により好ましくは２ｍｍ〜４０ｍｍ、最も好ましくは５ｍｍ〜２０ｍｍの幅又は直径を有してもよい。幅は均一であってもよいか、又はテーパ状であってもよい。開口手段の遠位端がループ形態である実施形態では、このようなタグをループの実質的に中央に設けて、開口手段を把持するために消費者への追加補助を提供することができる。開口手段がストリング、又はスレッドである実施形態の場合、タグは、開口手段の遠位端に結び目又はループを設けることによって形成されてもよい。タグは、開口手段と同じ又は異なる材料からもたらされてもよい。一実施形態では、タグは、好ましくは消費者に好ましい触覚面を提供するように異なる材料から形成される。
【００６２】
開口手段又はタブは、折り畳まれていない構成か、又は折り畳まれた構成で提供されてもよく、タブが存在し、使用前に折り畳まれていない場合には、タブにより所定位置に保持されてもよい。
【００６３】
開口手段又はタブ及び／又はタグには、消費者に、タブの位置、及び／又は好ましい把持位置、及び／又はその手段若しくはタブを引っ張って、開口し、リザーバからタブを少なくとも部分的に分離するか、又は取り外す方向を指示するための印を設けることができる。印は、差別化された色及び／又は記号の形態であってもよい。
【００６４】
開口手段又はタブ（１１）の近位端の一部分は、少なくとも１つの密封縁部（１５）を超えてリザーバ（１０）の内部空洞部内に延在してもよい。このような実施形態は、密封縁部（１５）の２つの表面の間に開口手段（１１）を更に確実に取り付けることができる。リザーバの内部空洞部に配置された開口手段又はタブ（１１）は、リザーバから外側に延在する開口手段又はタブの遠位部分と同じ又は異なる形状を有してもよい。一実施形態では、リザーバの空洞部内に延在する近位端の一部分は、ループ形態である。このような実施形態では、密封縁部から延在する開口手段の遠位端が、ループ形態であってもなくてもよい。
【００６５】
リザーバの内部空洞部内に延在する開口手段の近位端の一部分は、リザーバの内面に取り付けられ得るか、又は部分的に取り外し可能に取り付けられ得る。
【００６６】
開口手段がループである実施形態では、遠位部分もリザーバ内部に延在することができる。
【００６７】
一実施形態では、リザーバの内部空洞部における開口手段又はタブ（１１）の近位端の一部分は、密封縁部（１５）での２つ表面の間の開口手段の近位端の一部分よりも大きい幅を有する。あるいは、内部空洞部内の開口手段の近位端の一部分は、密封縁部から外側に延在するタブの遠位部分よりも大きくてもよい。理論に束縛されるものではないが、リザーバの内部空洞部内の開口手段の近位端の一部分の幅が増大すると、消費者が開口手段の遠位端を引っ張るにつれて、密封縁部に加えられる力がより大きくなると考えられる。これにより、リザーバから開口手段を取り外すとき、又は部分的に取り外すときに、密封縁部の開口が更に改善され、かつ任意で、接着剤など、存在するいかなる細片も取り除かれてもよい。リザーバの内部空洞部内に延在する開口手段又はタブの近位端の一部分は、縁密封部の間のその位置、又はそこから外側に延在する近位端とは異なる材料から提供されてもよい。材料は、リザーバ内に収容された流体に対して不活性であるように選択される。遠位端がストリング、又はスレッドによって提供される実施形態では、その幅は、結び目又は少なくとも１つのタグを提供することによって増大され得る。
【００６８】
別の実施形態では、開口手段又はタブは、遠位端及び／又は近位端の少なくとも一部分、好ましくは全体がテーパ状になっていてもよい。開口手段は、密封縁部の２つの表面の間に取り外し可能に取り付けられた近位端の少なくとも一部分においてテーパ状であってもよい。このため、開口手段は、密封された開口を形成する２つの表面の間に位置付けられた開口手段の近位端の一部分よりも大きい近位端又は遠位端の一部分の幅を有してもよい。同様に、開口手段の近位端の一部分は、密封縁部の２つの表面の間に位置付けられた近位端の一部分の幅よりも大きい幅を有してもよい。テーパ状は、直線状、又は例えば、砂時計ガラス又は矢頭形状を提供するように、湾曲状であってもよい。これは、近位端がリザーバの空洞部内に延在する実施形態の場合に特に有利である。開口手段を取り外す力が加わると、密封縁部の２つの表面の間に配置された近位端の一部分の幅より大きな幅を有するリザーバ空洞部内に配置されたその近位端の一部分では、密封縁部に力が加わり、密封部が破れて、これにより開口が形成されるか、かつ／又は開口（複数可）が拡大する。
【００６９】
開口タブは、少なくとも１つの密封縁部に沿った任意の位置に位置付けられてもよい。好ましくは、開口タブは、密封縁部の実質的に中央に配置するが、中央の左又は右の位置に、又は密封縁部の角部又はその角部に向かって配置されてもよい。
【００７０】
開口手段又はタブがループの形態で設けられ、遠位端及び近位端が密封縁部の２つの表面の間に取り外し可能に取り付けられる一実施形態では、開口手段及びリザーバは、好ましくは、リザーバと同じ又は実質的に類似の材料から提供される。このような材料は、好ましくは、熱密封を可能にするためにラミネート材料によって容易に提供され得る各表面に対して異なる特性を備えることができる。密封縁部の内面と接触するループラミネートの外面は、密封縁部でリザーバのラミネートフィルムの表面に弱く接着するように選択される。理論に束縛されるものではないが、これにより、力の印加時に開口手段を取り除くか、又は部分的に取り除く際に、開こうとするのに必要な力がより少ない密封をもたらすと考えられる。これは、多層複合フィルム、例えば（ＰＥＴ／ＶＭＰＥ）及び他の市販のフィルムにとって、特に有利である。
【００７１】
リザーバ（１０）の密封縁部（１５）の２つの表面の間に開口手段の近位端の一部分を取り外し可能に取り付けることに加えて、開口手段の遠位端又は近位端の一部分は、少なくとも１つの追加の連結装置、好ましくはリザーバへの取り外し可能な連結装置を有してもよい。このような連結装置は、リザーバの外面又は内面にあってもよい。開口手段及び／又はリザーバが、その製造において接着剤を使用するラミネート材料を利用する実施形態では、このような連結装置を形成するにあたって特定の有用性を見出すこともある。理論に束縛されるものではないが、接着剤では、周辺密封縁部及び／又は開口手段の縁部の周りに、特に、熱及び／又は圧力を加えることにより、ラミネートから漏れる場合もあり、これにより付加的な連結装置をもたらすと考えられる。
【００７２】
首部分
１つの好ましい実施形態では、ハンドルが流体リザーバとして機能する中空空洞部を提供する場合、リザーバ（１０）及び／又はハンドル（４）は、そこから延在する首部分（１６）を更に備える本体を備える首部分（１６）が存在することにより、改善された流体の流れの制御が可能になり、また、リザーバが取り付けられ得る装置との連結が改善され得る。少なくとも１つの密封縁部（１５）又は孔は、リザーバ又はハンドルの本体部分内に配置されてもよく、又は首部分（１６）内に配置されてもよい。好ましくは、少なくとも密封縁部は、存在する場合には首部分に配置される。リザーバの上端部及び側縁部は、存在する場合、本体から首部分までそれぞれ延在することになる。
【００７３】
首部分は、その上端から延在する本体の幅の中央に実質的に配置することが好ましい。代替的構成は、首部分が中央からずれているか、又は本体部分の上方角縁部のうちの１つに向かって配置されている実施形態を含む。首部分は、本体部分の側縁部の長さの５０％までの長さに延在してもよい。このような実施形態では、リザーバの側縁部は、本体部分から延在して首部分の側縁部を形成してもよく、同様にリザーバの上縁部又は上縁部の一部分は首部分に配置されてもよい。好ましくは、首部分は、リザーバの本体の幅よりも小さい幅、リザーバの主要正面又は後面の本体部分の幅の好ましくは７５％未満、好ましくは５０％未満、より好ましくは４０％未満の幅を有する。
【００７４】
首部分は、任意の好適な形状を有してもよく、また、対称又は非対称であってもよく、好ましくは、開口に向かう流体の流れを増大するように選択される。首部分は、実質的に直線状の側面又は湾曲した側面を有してもよく、これらの側面は実質的に垂直であるか、又は傾斜していてもよく、リザーバから出る流体を送り込む（funneling）のを助けるテーパ状の首部分を提供する。
【００７５】
好ましい実施形態では、開口手段は、図４に示されるように、消費者が遠位端又はタグに容易に到達できるように、ハンドル（４）及び／又は液体分配手段（３）を通ってリザーバから少なくとも装置の正面まで延在する。このような実施形態では、流体分配手段（３）は、開口手段（１１）が流体分配手段（３）を通って通過できるようにサイズ決定された少なくとも１つの孔又は開口（９）を備え得る。このような開口（９）は、流体をリザーバ（１０）から皮膚に送達するように機能し得る。
【００７６】
流体リザーバが好ましくは首部分を備えている実施形態では、首部分は、流体分配手段に向かって延在してもよく、更に好ましくは、開口又は孔から流体分配手段の内部、又はその上、又はそこを通って、少なくとも一部分延在し、これにより、流体リザーバと流体分配手段との間に流体経路が形成される。開口手段は、典型的には、存在する場合には首部分に配置される。
【００７７】
流体分配手段は、開口手段及びリザーバと流体連通する少なくとも１つの流体経路を有する。ハンドルが流体リザーバと流体分配手段との間に位置付けられる実施形態では、リザーバの一部分が少なくとも部分的にそこを通って延在する開口をハンドルに設けることができる。あるいは、流体リザーバは、流体分配手段に到達するようにハンドルの周りに延在し得る。
【００７８】
キャップ／カバー
除毛及び流体適用装置は、複数回使用する実施形態では、使用前、使用中及び使用後に、除毛手段及び／又は流体分配手段を保護するために、キャップ（複数可）及び／又はカバー（複数可）及び／又は使い捨て式密封部又は剥離ライナーを更に備え得る。フローラップ（flow wrap）などの任意の好適なキャップ（１７）又は密封部を使用してもよい。カバーは、更に、装置を完全に覆い、取り囲むことができる。キャップは、ハンドル又は異なる材料に関して記載されたものと同じ材料で提供されてもよい。キャップ又はカバーは、図示されるように、ハンドルと一体化されてもよく、又はハンドルから分離されていてもよい。
【００７９】
流体
リザーバは、スキンケア及び／若しくはシェービングケア活性剤、並びに／又は除毛若しくは脱毛組成物を含み得る液体、ゲル又はペーストを含む。本組成物は、水性、油中水型又は水中油型エマルジョンであってもよい。
【００８０】
除毛装置に使用する組成物を選択する場合、分配された後に皮膚又はかみそりから流出しないように十分に濃く、粘性のある組成物を選択することが特に望ましいことが分かっている。更に、流体分配除毛装置で使用するには、これに限定されないが、剃毛前の毛を水和すること、除毛プロセス中皮膚を濡らすこと、剃毛中摩擦を減少させるために皮膚を滑らかにすることなど、保湿組成物を濡らすことが複数の利点を可能にするために望ましい。当業者であれば、濡らすことには、流体分配装置と皮膚との間で、滑りを増大し、摩擦を低減するために、皮膚若しくは毛を水和すること、又は皮膚及び／若しくは毛を遮蔽すること、又は皮膚若しくは毛を滑らかにすることを含んでもよいことは理解されよう。
【００８１】
水
本発明の剃毛ケア組成物は、水を含む。一実施形態では、剃毛ケア組成物は、少なくとも約３０重量％の水を含む。代替の実施形態では、剃毛ケア組成物は、少なくとも約４０重量％の水を含む。代替的実施形態では、剃毛ケア組成物は、少なくとも約５０重量％、より好ましくは少なくとも６０重量％、更により好ましくは少なくとも８０重量％、更により好ましくは少なくとも９０重量％の水を含む。高レベルの水を有する組成物では、適用するため、又は適用後に皮膚から本組成物を除去するために追加の水源を必要とせずに装置を使用することができる。
【００８２】
親油性皮膚コンディショニング剤
本発明の剃毛ケア組成物は、１種以上の親油性皮膚コンディショニング剤を含んでもよい。皮膚コンディショニング剤の濃度レベルは、単独又は集合的に基本組成物の約１重量％〜約５０重量％、好ましくは約１０重量％〜約４０重量％、より好ましくは約１３重量％〜約３０重量％の範囲のいずれかであり得る。例示の皮膚コンディショニング剤として、アルキルエーテル、鉱油、イソパラフィン、Ｃ２０超の水素添加ポリイソブテンからなる群から選択される炭化水素、高分子炭化水素、エステル、エーテル、及びシリコーン、並びに、分岐鎖Ｃ１６〜Ｃ２２アルキル鎖、及び直鎖又は分岐鎖Ｃ１〜Ｃ６アルキル鎖からなるモノアルキル基、で構成されるエステルが挙げられる。いくつかの好ましい皮膚コンディショニング剤としては、イソステアリン酸誘導体、例えば、イソステアリン酸イソステアリル、イソステアリン酸イソプロピル、パルミチン酸イソプロピル、ミリスチン酸イソプロピル、ＰＰＧ−１５ステアリルエーテル、ペトロラタム、ジメチコーン、及びジメトコノール、及びこれらの混合物が挙げられる。
【００８３】
一実施形態では、２つ以上の炭化水素相が、乳化に先立ってプレブレンドされる。かかる成分のプレブレンドが、肌触りの改善につながり得ることが分かっている。例は、鉱油又はパルミチン酸イソプロピルとブレンドされたペトロラタムを含む。
【００８４】
皮膚コンディショニング剤はまた、本明細書で提供される組成物の摩擦係数を低下させるのに役立ち得る。摩擦が低減することにより、かみそり刃などの除毛装置を皮膚に１回以上接触させることから生じ得る皮膚の刺激の可能性を抑えることができる。これに関連する皮膚コンディショニング剤の使用はまた、剃毛調整物に含まれる潤滑剤の種類及び濃度レベルに関して、調合物の柔軟性を可能にし得る。
【００８５】
本発明の一実施形態では、分散した相の皮膚コンディショナーの粒径は、分散した相の質量の９５％であり、２０マイクロメートル未満、好ましくは１５マイクロメートル未満、より好ましくは１０マイクロメートル未満、最も好ましくは５マイクロメートル未満の平均粒径を有する。粒径は、Ｈｏｒｉｂａ粒径分析器を使用して測定され、Ｄ５０値として報告される。理論に束縛されるものではないが、特に剃毛組成物がかみそりの刃の前に配置されている場合の剃毛中、又は組成物が皮膚に付着しているときのかみそりの再ストローク時に、分散した相の皮膚コンディショナーが皮膚に保持されるために、より小さい粒径が非常に重要である。皮膚は平面ではなく、小さい粒子ほど大きい粒子より簡単に皮膚の凹部内、及び毛嚢周りに付着して残留し得ることが認識されている。
【００８６】
増粘剤
流体組成物は、組成物の約０．１重量％〜約５重量％、あるいは約０．１重量％〜約４重量％、あるいは約０．２５重量％〜約３重量％の１種以上の増粘剤を含んでもよい。
【００８７】
増粘剤の非限定的なクラスとしては、カルボン酸ポリマー、架橋ポリアクリレートポリマー、ポリアクリルアミドポリマー、多糖類、粘土及びガム、並びに適宜これらの混合物から選択されるものが挙げられる。一実施形態では、本明細書の組成物として、カルボン酸ポリマー、架橋ポリアクリレートポリマー、ポリアクリルアミドポリマー、多糖類、及びこれらの混合物から選択される、より好ましくはカルボン酸ポリマー、ポリアクリルアミドポリマー、多糖類、及びこれらの混合物から選択される、増粘剤が挙げられる。
【００８８】
好ましい増粘剤／懸濁化剤は、溶液内にあるときにずり減粘になる、電解質感応性ポリマーを含む。ずり減粘は、液体の延展及び吸い上げを容易にする特性である。電解質感応性ポリマーが、所望の性能プロファイルを有することを発見した。理論に束縛されるものではないが、電解質感応性ポリマーは、皮膚に残った残留性の界面活性剤又は電解質と相互作用し、かみそり及び皮膚表面に延展するための潤滑剤及び／又は懸濁したコンディショニング剤を放出する。好ましい電解質感応性ポリマーとしては、ポリアクリルアミド、ヒドロキシエチルアクリレート／アクリロイルジメチルタウリン酸ナトリウムコポリマー、アクリル酸ナトリウム／アクリロイルジメチルタウリン酸ナトリウムコポリマー、ポリアクリル酸アンモニウム、アクリル酸ナトリウム／アクリロイルジメチルタウリン酸／ジメチルアクリルアミドクロスポリマー、Ｓｅｐｐｉｃから購入可能なヒドロキシエチルアクリレート／アクリロイルジメチルタウリン酸ナトリウムコポリマー、又はＬｕｂｒｉｚｏｌから購入可能なＵｌｔｒｅｚ  １０、Ｃａｒｂｏｐｏｌ  ９３４、Ｃａｒｂｏｐｏｌ  ９８０、及びＥＴＤ  ２０５０などのカルボン酸ポリマー（カルボマー）、又はＣｌａｒｉａｎｔから購入可能なアクリロイルジメチルタウリン酸アンモニウム／ＶＰコポリマー、アクリロイルジメチルタウリン酸ナトリウム／ＶＰコポリマー、アクリロイルジメチルタウリン酸アンモニウム／メタクリル酸ベヘネス−２５クロスポリマーが挙げられるが、これらに限定されない。最も好ましい電解質感受性ポリマーはＳｅｐｉｇｅｌ  ３０５（ポリアクリルアミド＆  Ｃ１３〜１４イソパラフィン＆ラウレス−７）として入手可能なポリアクリルアミドである。
【００８９】
乳化剤
流体組成物は、本組成物の約０．１重量％〜約２０重量％、あるいは約０．５重量％〜約１５重量％、あるいは約１．０重量％〜約１２重量％の１種類以上の乳化剤を含んでもよい。本明細書で使用するための乳化剤の非限定な例は、ＭｃＣｕｔｃｈｅｏｎ’ｓ，Ｄｅｔｅｒｇｅｎｔｓ  ａｎｄ  Ｅｍｕｌｓｉｆｉｅｒｓ，Ｎｏｒｔｈ  Ａｍｅｒｉｃａｎ  ｅｄｉｔｉｏｎ（１９８６）（Ａｌｌｕｒｅｄ  Ｐｕｂｌｉｓｈｉｎｇ  Ｃｏｒｐｏｒａｔｉｏｎにより出版）、及びＭｃＣｕｔｃｈｅｏｎ’ｓ，Ｆｕｎｃｔｉｏｎａｌ  Ｍａｔｅｒｉａｌｓ，Ｎｏｒｔｈ  Ａｍｅｒｉｃａｎ  Ｅｄｉｔｉｏｎ（１９９２）に開示されている。好ましい乳化剤は、非イオン性界面活性剤／乳化剤である。本明細書の非限定的な有用な乳化剤としては、アルキルグルコシド、アルキルポリグルコシド、ポリヒドロキシ脂肪酸アミド、アルコキシル化脂肪酸エステル、スクロースエステル、アルコキシル化脂肪族アルコール、アミンオキシド、及びこれらの混合物からなる群から選択されるものが挙げられる。最も好ましくは、アルコキシル化脂肪族アルコール、アルキルグルコシド、及びこれらの混合物である。
【００９０】
一実施形態では、流体組成物は、約５％未満、又は約３％未満、又は約２％未満の１種以上の発泡性界面活性剤を含む。一実施形態では、流体は、発泡性界面活性剤を含まないか、又は実質的に含まない。発泡性界面活性剤は、水と混合し、機械的に攪拌されたとき又はその後に泡を発生する界面活性剤として定義される。発泡性界面活性剤は、アニオン性及び両性発泡性界面活性剤及びこれらの混合物を含む。アニオン性発泡性界面活性剤には、サルコシン酸塩、硫酸塩、スルホン酸塩、イセチオン酸塩、タウリン酸塩、リン酸塩、ラクチル酸塩、グルタミン酸塩、８〜２４個の炭素を有する脂肪酸のアルカリ金属塩（すなわち石けん）、及びこれらの混合物を含む。
【００９１】
潤滑剤
流体組成物は、組成物の約０．１重量％〜約８重量％、あるいは約０．１重量％〜約５重量％、あるいは約０．２重量％〜約３重量％の１種以上の潤滑剤を使用してもよい。例示の潤滑剤としては、潤滑性水溶性ポリマー、非水溶性粒子、及びヒドロゲル形成（又は水膨張性）ポリマー、及びこれらの混合物が挙げられる。
【００９２】
有益な潤滑性水溶性ポリマーは、約３００，０００〜１５，０００，０００ダルトンよりも大きい、好ましくは約１，０００，０００ダルトンを超える分子量を有してよい。好適な潤滑性水溶性ポリマーの非限定例としては、ポリエチレンオキシド、ポリビニルピロリドン、及びポリアクリルアミドが挙げられる。非限定の有益な非水溶性粒子としては、無機粒子又は有機ポリマー粒子を挙げてもよい。ヒドロゲル形成性ポリマーは、水中でおよそナノメートルスケールの組織化された３次元ドメインを形成する、典型的に親水性の高いポリマーである。追加のポリマー潤滑剤としては、ヒドロキシエチルセルロース及びヒドロキシプロピルセルロースなどのヒドロキシアルキルセルロースポリマー、カルボキシメチルセルロース、及びセルロースメチルエーテルのようなセルロース誘導体、並びに、例えばキサンタンガム、カラギーナンガム、グアーガム、ローカストビーンガム、及びヒドロキシプロピルグアーガムなどの多糖類ガムが挙げられる。
【００９３】
感覚剤
本発明の一実施形態では、組成物は、感覚剤、又は感覚剤の組み合わせを含んでもよい。感覚剤は、加熱又は冷却などの熱変化の感覚をもたらす材料であってもよい。出願人らは、この組成物を使用する感覚剤の添加が、長く続く皮膚感覚及び快適効果をもたらすことを発見した。非限定例としては、ｐ−メタン−３，８−ジオール；イソプレゴール；メントキシプロパン−１，２−ジオール；クルクミン；酪酸メンチル；ジンジェロール；イシリン；メントール；ティーツリー油；サリチル酸メチル；樟脳；ペパーミント油；Ｎ−エチル−ｐ−メンタン−３−カルボキサミド；Ｎ−［４−（シアノメチル）フェニル］−２−イソプロピル−５−メチルシクロヘキサン−カルボキサミド；エチル３−（ｐ−メンタン−３−カルボキサミド）アセテート；２−イソプロピル−Ｎ，２，３−トリメチルブチルアミド；メントングリセロールケタール、及びこれらの混合物が挙げられる。
【００９４】
ゲルネットワーク
好ましくは、流体組成物はゲルネットワーク相を実質的に含まない。本明細書で使用するとき、用語「ゲルネットワーク」とは、少なくとも１種類の脂肪族両親媒性物質を含む、層状の、又は小胞性の固体結晶相を指す。本発明は、約３％未満、あるいは約１％未満、あるいは約０．５％未満の少なくとも１種類の脂肪族両親媒性物質を含む。ゲルネットワークは、これらの系のすすぎ特性を低減させることが分かっている。脂肪族アルコールゲルネットワークは、長年化粧用のクリーム及び毛髪コンディショナーに使用されてきた。ゲルネットワークは、脂肪族両親媒性物質（例えば、セチル又はステアリルアルコール）及び親水性相（例えば水）によって形成される再固化液晶ゲル相である。この相は、親水性相で融解後に再固化過程を経ることによって形成される。ゲルネットワークは典型的に、それ自体の脂肪族両親媒性物質の溶解温度よりも低い温度遷移を有する。
【００９５】
任意成分
流体ケア組成物は、追加の任意成分を更に含むことができる。好適な追加の任意成分としては、香料、防腐剤、キレート剤、感覚剤（メンソールなど）、落屑活性物質、抗アクネ剤、抗しわ／抗皮膚萎縮剤、老化防止剤／ラジカルスカベンジャー、フラボノイド、抗炎症剤、抗セルライト剤、表面麻酔剤、タンニング活性物質、皮膚美白剤、皮膚鎮静及び治癒活性物質、抗菌活性物質、日焼け止め活性物質、皮膚外観向上剤、湿潤剤、及び加湿剤（グリセリン、グリコール、ソルビットなど）、並びにその他同種類のものが挙げられる。かかる任意成分は、米国特許出願公開第１１／３６７，９１８号（２００６年３月３日出願）に詳細に記載されている。好ましい追加の任意成分としては、サリチル酸、乳白剤（雲母及び二酸化チタンなど）、香料、親水性コンディショニング剤（例えばグリセリンなど）、及び皮膚感覚剤（メントールなど）が挙げられる。
【００９６】
流体組成物は、サリチル酸、その異性体、互変異性体、塩、及びこれらの誘導体を含み得る。あるいは、組成物は、約０．００１％〜約５％のサリチル酸を含む。あるいは、組成物は、約０．０１％〜約２％のサリチル酸を含む。あるいは、組成物は、約０．１％〜約１％のサリチル酸を含む。理論に束縛されるものではないが、サリチル酸は皮膚上のアクネ治療に有効であると考えられる。更に、サリチル酸は、皮膚上のアクネの存在を治療及び／又は軽減する機能がある。本発明の剃毛ケア組成物によるかかる治療は、かみそりを介して皮膚に剃毛ケア組成物を適用することと、剃毛ケア組成物で治療された皮膚を剃毛することと、を伴う。
【００９７】
サリチル酸の誘導体としては、ＣＨ３基が個別に又は組み合わされてアミド類、エステル類、アミノ基類、アルキル類、及びアルコールエステル類によって置換されたあらゆる化合物が挙げられるが、これらに限定されない。サリチル酸の互変異性体は、互いに容易に変化でき、そのため通常は平衡状態で存在する、サリチル酸の異性体である。したがって、サリチル酸の互変異性体は、化学式Ｃ７Ｈ６Ｏ３を有すると記載することができ、一般にサリチル酸と類似の構造を有する。
【００９８】
本発明の組成物は、約０．００１％〜約５％、あるいは約０．０１％〜約２％、あるいは約０．１％〜約１％の、α−又はβ−ヒドロキシ酸、並びにその誘導体、塩、異性体、及びそれらの互変異性体を含み得る。α−及びβ−ヒドロキシ酸の非限定的な例としては、α−ヒドロキシ酪酸、α−ヒドロキシイソ酪酸、α−ヒドロキシイソカプロン酸、α−ヒドロキシイソ吉草酸、アトロ乳酸、β−ヒドロキシ酪酸、β−フェニル乳酸、β−フェニルピルビン酸、クエン酸ピルビン酸エチル（citric acid ethyl pyruvate）、ガラクツロン酸、グルコヘプトン酸、グルコヘプトノ−１，４−ラクトン、グルコン酸、グルクロノラクトングルクロン酸、グルクロノラクトン、グリコール酸、ピルビン酸イソプロピル、乳酸、リンゴ酸、マンデル酸（amndelic acid）、ピルビン酸メチル（emthyl pyruvate）、粘液酸、ピルビン酸、サッカリン酸、サッカリン酸１，４−ラクトン、酒石酸、タルトロン酸、及びこれらの混合物が挙げられる。
【００９９】
乳白剤は、本発明の剃毛ケア組成物に添加されてよい。乳白剤は、無機又は有機化合物であってよい。無機乳白剤としては、例えば、二酸化チタン、酸化亜鉛、タルク、雲母若しくは被覆雲母（チタン、スズ、若しくは鉄の酸化物、又はオキシ塩化ビスマスによる）、ケイ酸アルミニウムマグネシウム、オキシ塩化ビスマス、又はその他のミネラルが挙げられる。これらの化合物は、粉末、分散体、又は複合体として添加され得る。有機乳白剤としては、例えば、不透明乳濁液（例えば、スチレン／ＰＶＰコポリマー、ビニルポリマー、又はラテックスを含む）、１分子当たり１４〜２０の炭素原子を含むアミンの金属塩、１分子当たり１４〜２０の炭素原子を含むアルカノールアミド、１分子当たり１４〜２０の炭素原子を含む有機アルコール、ステアリン酸、グリコールモノ−又はジステアレート、プロピレングリコール及びグリセロールモノステアレート、並びにパルミチン酸の不溶性塩が挙げられる。これらの乳白剤の混合を使用してもよい。不透明化添加剤は、組成物の約１重量％〜約６重量％、好ましくは約２重量％〜約５重量％の量で典型的に含まれる。
【０１００】
流体組成物は、硫化塩、チオグリコール、チオグリセロール、チオグリコリド、チオグリコールヒドラジドチオグリコール酸、チオグリコール酸塩（例えばカリウム、カルシウム及びアンモニウム）、チオサリチル酸、チオリンゴ酸、アンモニウムチオ乳酸、システイン及びシステアミンなどのあらゆるケラチン還元剤を含む脱毛活性物質を含んでもよい。還元剤は、組成物の約０．１重量％〜２０重量％、好ましくは０．２重量％〜１５重量％、より好ましくは０．５重量％〜１０重量％の量で存在する。好ましくは、脱毛組成物は、水酸化ナトリウム又は水酸化カリウムなどのｐＨを制御するための塩基、モノエタノールアミドなどのアンモニアアルカノールアミド及びこれらの混合物を更に含んでもよい。
【０１０１】
特定の実施形態
以降、本発明を、本発明の特定の実施形態を参照して更に説明する。
【０１０２】
図１ａ及び図１ｂは、本発明の第１の実施形態を示す。この実施形態は、ハンドル（４）の正面のハンドルの近位端に配置されたハウジング内に設けられた少なくとも１つのかみそり刃を備える除毛手段（２）を備える。流体分配手段（３）は、ハンドル（４）の遠位端に配置され、これにより除毛手段（２）及び流体分配手段（３）の皮膚接触面は、実質的に反対方向に位置付けられている。除毛手段（２）及び流体投与手段（３）は、それぞれの皮膚接触面に対向する反対方向に配置されるように所定の位置に配列されている。流体分配手段（３）は、ハンドル（４）の遠位端５の全幅に実質的に延在するスポンジを含む。除毛手段は、ハンドルの近位端（６）の全幅に実質的に延在している。除毛手段（２）及び流体分配手段（３）は、ハンドル（４）に固定されている。ハンドル（４）は、撥水性材料で被覆されるか、又は積層され得る単一片のカートン用板紙から形成されている。カートン用板紙は、管状に形成され、一緒に接着され、積層シートを含む流体リザーバ（１０）は、ハンドル（４）がその内部に保持される流体リザーバ（１０）の正面及び背面を実質的に覆うように、その内部に配置されている。ハンドル（４）には、リザーバの一部分が挿入されて流体分配手段（３）への液体経路を形成し、そこを通る開口が設けられている。除毛手段（２）及び流体分配手段（３）には、保護キャップ（１７）が設けられている。
【０１０３】
図２ａ及び図２ｂは、本発明の第２及び第３の実施形態を示す。両方の実施形態とも、ハンドルの近位端（５）に配置されたハウジング内に設けられた少なくとも１つのかみそり刃を備える除毛手段（２）と、ハンドルの遠位端（６）に配置された流体分配手段（３）とを含み、これにより除毛手段及び流体分配手段の皮膚接触面は、実質的に反対方向に位置付けられている。除毛手段（２）及び流体投与手段（３）は、それぞれの皮膚接触面に対向する反対方向に配置されるように所定の位置に配列されている。流体分配手段（３）は、ハンドル（４の遠位端（６）の全幅に実質的に延在するスポンジ／フェルトを含む。ハンドル（４）は、流体リザーバを提供する中空空洞部を提供する。ハンドルは、密封された孔（１２）を提供する首（１６）を有し、開口時にリザーバと流体分配手段との間で流体連通を形成する開口手段（１１）を備える。流体分配手段には、保護キャップ（１７）が設けられている。除毛手段は、ハンドル（４）の近位端（５）の全幅に実質的に延在し、保護キャップ（１７）が設けられている。除毛手段（２）及び流体分配手段（３）は、ハンドル（４）に固定されている。除毛手段は、垂直面から離れる方向に傾斜したハンドル（４）の近位端（５）に取り付けられている。
【０１０４】
図２ｂに示す第３の実施形態では、ハンドルの傾斜した近位端（５）には、除毛手段を枢動させることができるようにリビングヒンジ（１９）が設けられている。
【０１０５】
図３ａ及び図３ｂは、本発明の第４の実施形態を示す。この実施形態は、ハンドル（４）の正面のハンドルの近位端（５）に配置されたハウジング内に設けられた少なくとも１つのかみそり刃を備える除毛手段（２）を備える。流体分配手段（３）は、ハンドルの遠位端（６）に配置され、これにより、除毛手段及び流体分配手段の皮膚接触面が実質的に反対方向に位置付けられている。除毛手段（２）及び流体投与手段（３）は、それぞれの皮膚接触面に対向する反対方向に配置されるように所定の位置に配列されている。流体分配手段（３）は、ハンドル（４）の遠位端（６）の全幅に実質的に延在するスポンジを含む。除毛手段は、ハンドルの近位端（６）の全幅に実質的に延在している。除毛手段（２）及び流体分配手段（３）は、ハンドル（４）に固定されている。ハンドル（４）は、流体リザーバ（１０）を提供する中空空洞部を提供する。ハンドルは、密封された孔（１２）を提供する首（１６）を有し、開口時にリザーバと流体分配手段（３）との間で流体連通を形成する開口手段（１１）を備える。流体分配手段には、保護キャップ（１７）が設けられている。ハンドルの近位端（５）には、除毛手段（２）がその上に取り付けられる枢動軸を備えたシャシー（１３）が設けられている。除毛手段（２）にも保護キャップ（１７）が設けられている。
【０１０６】
図４は、首部分（１６）及びプルタブ開口手段（１１）に連結された密封された孔（１２）及びその開口を有する中空空洞部リザーバ（１０）を提供するハンドル（４）の部分概略断面図を示す。
【０１０７】
図５は、保護キャップ（１７）に取り付けられたストッパによって密封された首部分（１６）を有する中空空洞部リザーバを提供するハンドル（４）の部分概略断面図を示す。
【０１０８】
図６は、リザーバへの孔（１２）が保護キャップ（１７）によって密封されているハンドル（４）の部分概略断面図を示す。
【０１０９】
図７ａ、図７ｂ及び図７ｃは、本発明の第８の実施形態を示す。この実施形態は、ハンドル（４）の正面のハンドルの近位端（５）に配置されたハウジング内に設けられた少なくとも１つのかみそり刃を備える除毛手段（２）を備える。流体分配手段（３）は、ハンドルの遠位端（６）に配置され、これにより、除毛手段及び流体分配手段の皮膚接触面が実質的に反対方向に位置付けられている。除毛手段（２）及び流体投与手段（３）は、それぞれの皮膚接触面に対向する反対方向に配置されるように所定の位置に配列されている。流体分配手段（３）は、フェルトニブを含む。除毛手段は、ハンドルの近位端の全幅に実質的に延在している。除毛手段（２）及び流体分配手段（３）は、ハンドル（４）に固定されている。ハンドルには、流体を収容するリザーバ（１０）が設けられている。ハンドルの遠位端（６）では、リザーバには、リザーバからの孔（１２）を提供し、フェルトニブを通るチャネルを形成するプラグ（１８）が設けられている。流体分配手段は、保護キャップ（１７）によって密封されている。ハンドルの近位端（５）には、除毛手段（２）がその上に取り付けられる枢動軸を備えたシャシー（１３）が設けられている。除毛手段にも保護キャップ（１７）が設けられている。
【０１１０】
図８ａ、図８ｂ、及び図８ｃは、第８の実施形態の代替である本発明の第９の実施形態を示す。この実施形態は、ハンドル（４）の正面のハンドルの近位端（５）に配置されたハウジング内に設けられた少なくとも１つのかみそり刃を備える除毛手段（２）を備える。流体分配手段（３）は、ハンドルの遠位端（６）に配置され、これにより、除毛手段及び流体分配手段の皮膚接触面が実質的に反対の方向に位置付けられている。除毛手段（２）及び流体投与手段（３）は、それぞれの皮膚接触面に対向する反対方向に配置されるように所定の位置に配列されている。流体分配手段（３）は、フェルトニブを含む。除毛手段は、ハンドルの近位端の全幅に実質的に延在している。除毛手段（２）及び流体分配手段（３）は、ハンドル（４）に固定されている。リザーバの密封縁部（１５）は、フェルトニブ内に延在し、フェルトニブを通って延在するプルタブ開口手段（１１）が設けられている。流体分配手段は、保護キャップ（１７）によって密封されている。除毛手段にも保護キャップ（１７）が設けられている。
【０１１１】
使用方法
本発明の除毛及び流体分配装置は、効果的に身体から除毛する簡単で便利な方法を提供する。消費者は、典型的には、除毛手段又は流体分配手段を保護するために存在するあらゆるキャップ層又は剥離層を除去する。次いで、消費者は、流体リザーバを開口し、そこから開口手段を取り除く。任意で、消費者は、リザーバから流体分配手段への流体の流れを容易にするために、流体リザーバに圧力を加えることができる。次いで、消費者は、処理する皮膚表面上に流体分配手段を置き、分配手段を用いて処理する表面に流体を適用する。次いで、装置を回転させ、消費者は除毛するために除毛装置をその表面に適用する。次いで、所望の除毛が達成されるまで、同じ又は追加の表面上でこのプロセスを繰り返す。更に、消費者は、皮膚表面からあらゆる細片又は過剰組成物を回収及び除去するか、又は皮膚表面に流体を適用するために、除毛ステップ後に同じ表面上に流体分配手段を位置付けて、適用してもよい。あるいは、消費者は、流体分配手段の前に、最初に除毛手段を利用してもよい。これらは、アフターシェーブ組成物を送達するために使用されてもよい。本発明の除毛及び流体分配装置は、機能を果たすにあたって水源を必要とせず、特に皮膚を濡らす必要がないか、又は任意の剃毛前組成物及び／又は剃毛後組成物を適用する必要がない。更に、この装置は、使用後のいかなるすすぎ洗いも必要としない。
【０１１２】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば「４０ｍｍ」として開示される寸法は、「約４０ｍｍ」を意味するものとする。
【図１ａ】
2018518325.tif 000003
【図１ｂ】
2018518325.tif 000004
【図２ａ】
2018518325.tif 000005
【図２ｂ】
2018518325.tif 000006
【図３ａ】
2018518325.tif 000007
【図３ｂ】
2018518325.tif 000008
【図４ａ】
2018518325.tif 000009
【図４ｂ】
2018518325.tif 000010
【図４ｃ】
2018518325.tif 000011
【図５ａ】
2018518325.tif 000012
【図５ｂ】
2018518325.tif 000013
【図６ａ】
2018518325.tif 000014
【図６ｂ】
2018518325.tif 000015
【図７ａ】
2018518325.tif 000016
【図７ｂ】
2018518325.tif 000017
【図７ｃ】
2018518325.tif 000018
【図８ａ】
2018518325.tif 000019
【図８ｂ】
2018518325.tif 000020
【図８ｃ】
2018518325.tif 000021
【国際調査報告】
2018518325.tif 000022
2018518325.tif 000023
2018518325.tif 000024